(57)【特許請求の範囲】
【請求項１】
飲料を貯留した袋を収容する収容箱と、該収容箱の底面部に形成した貫通孔を通って、前記収容箱に対して出没する上下に延びた筒状のニードルとを備える飲料サーバにおいて、
前記底面部から下方に突出した突出部と、
該突出部に設けられており、上下に延びた傾斜溝と、
該傾斜溝に係合するローラと、
該ローラを操作する操作部と
を備え、
前記ローラが前記傾斜溝の上端部に位置する場合、前記ニードルの上端部は前記底面部よりも上側に位置し、前記ローラが前記傾斜溝の下端部に位置する場合、前記ニードルの上端部は前記底面部よりも下側に位置することを特徴とする飲料サーバ。
【請求項２】
前記底面部の下側に配置され、前記貫通孔の軸心回りに回転する回転部を備え、
前記ローラは前記回転部に支持されており、
前記操作部を操作することによって前記回転部は回転すること
を特徴とする請求項１に記載の飲料サーバ。
【請求項３】
前記ニードルは前記回転部を上下に貫通しており、
前記回転部における前記ニードルの周囲に封止部材が設けられており、
前記貫通孔の周囲から前記封止部材に向けて下方に突出した突出体を備え、
前記傾斜溝の上端部は横向きに延びていること
を特徴とする請求項２に記載の飲料サーバ。
【請求項４】
前記ローラが前記傾斜溝に対して非係合になる方向に前記回転部を付勢する付勢部材を備え、
前記操作部は前記回転部に接離可能に構成されており、
前記操作部を前記回転部に当接させた場合、前記ローラが前記傾斜溝に係合する方向に前記回転部は回転すること
を特徴とする請求項２又は３に記載の飲料サーバ。
【請求項５】
前記回転部は、
第１回転軸回りに回転する回転板と、
該回転板の周縁部から外向きに突出した突出体と
を備え、
前記操作部は、前記第１回転軸に交差する第２回転軸回りに回転可能に構成されており、
前記ローラが前記突出部の下側に位置し且つ前記操作部を一方向に回転させた場合、前記操作部は前記突出体を押すこと
を特徴とする請求項４に記載の飲料サーバ。
【請求項６】
前記突出部は板状又は筒状をなし、
前記傾斜溝の下端は開口しており、
前記ローラは前記突出部の下端部分及び傾斜溝に当接するように配されていること
を特徴とする請求項１から５のいずれか一つに記載の飲料サーバ。
【請求項７】
前記収容箱の上面が開口しており、
前記開口を開閉するロック可能な蓋を備えること
を特徴とする請求項１から６のいずれか一つに記載の飲料サーバ。
【発明の詳細な説明】
【技術分野】
【０００１】
本発明は、液体の飲料を供給する飲料サーバに関する。
【背景技術】
【０００２】
従来、箱体内に液体飲料を貯留した袋を入れ、箱体よりも下側に液体の供給口を設けた飲料サーバが提案されている（例えば特許文献１及び２参照）。
【０００３】
特許文献１に記載の飲料サーバにおいては、箱体（上部冷却室）内に上下に揺動する揺動板（支持板）が設けられている。また尖端部を有するニードル（接続部材）が箱体の底面に固定されている。ニードルは筒状をなし、尖端部を上側にして前記底面に設けられている。ニードルの下端部はコック（冷水コック）に接続されている。袋を揺動板に載置し、揺動板を下側に移動させた場合、ニードルの尖端部は袋を貫通し、袋内の飲料はニードル内を通ってコックに至る。
【０００４】
特許文献２に記載の飲料サーバにおいては、ニードルが箱体の底面に上下動可能に設けられている。上下方向に傾斜した溝カムを有する筒体がニードルの周囲に設けられている。ニードルからはカムフォロワ（腕部）が径方向に突出しており、筒体には操作ハンドルが設けてある。カムフォロワは溝カムに係合し、操作ハンドルを操作することによって、カムフォロワは溝カムに沿って上下動する。カムフォロワの上下動に応じて、ニードルも上下動する。ニードルが上昇した場合、ニードルは袋を貫通する。
【先行技術文献】
【特許文献】
【０００５】
【特許文献１】特開２００６−２７６６１号公報
【特許文献２】特開２０１１−１０２１４６号公報
【発明の概要】
【発明が解決しようとする課題】
【０００６】
特許文献１に記載の飲料サーバにあっては、飲料の重量によって揺動板が勢いよく下側に降下し易く、ニードルが袋を貫通した場合に、袋が裂けて飲料が箱体内に漏洩するおそれがある。
【０００７】
また特許文献２に記載の飲料サーバにあっては、操作ハンドルに付与される力が、想定した力よりも小さい場合に、ニードルが袋を貫通しないおそれがある。
【０００８】
本発明は斯かる事情に鑑みてなされたものであり、飲料を貯留した袋をニードルが貫通し、また漏水を防止する飲料サーバを提供することを目的とする。
【課題を解決するための手段】
【０００９】
本発明に係る飲料サーバは、飲料を貯留した袋を収容する収容箱と、該収容箱の底面部に形成した貫通孔を通って、前記収容箱に対して出没する上下に延びた筒状のニードルとを備える飲料サーバにおいて、前記底面部から下方に突出した突出部と、該突出部に設けられており、上下に延びた傾斜溝と、該傾斜溝に係合するローラと、該ローラを操作する操作部とを備え、前記ローラが前記傾斜溝の上端部に位置する場合、前記ニードルの上端部は前記底面部よりも上側に位置し、前記ローラが前記傾斜溝の下端部に位置する場合、前記ニードルの上端部は前記底面部よりも下側に位置することを特徴とする。
【００１０】
本発明においては、操作部の操作によって、ローラが傾斜溝に対して相対的に上側に移動した場合、収容箱は下方に移動し、ニードルは貫通孔を通って収容箱の内側に進出する。ローラは傾斜溝に沿って移動するので、直線的に降下する場合に比べてローラの下降速度は低下する。一方、操作部が傾斜溝に対して相対的に下側に移動した場合、収容箱は上方に移動し、ニードルは貫通孔を通って収容箱から退出し、収容箱の底面部よりも下側に位置する。
【００１１】
本発明に係る飲料サーバは、前記底面部の下側に配置され、前記貫通孔の軸心回りに回転する回転部を備え、前記ローラは前記回転部に支持されており、前記操作部を操作することによって前記回転部は回転することを特徴とする。
【００１２】
本発明においては、操作部を操作することによって回転部の回転が開始され、傾斜溝に接触しながらローラが移動し、収容部の上下動を実現する。
【００１３】
本発明に係る飲料サーバは、前記ニードルは前記回転部を上下に貫通しており、前記回転部における前記ニードルの周囲に封止部材が設けられており、前記貫通孔の周囲から前記封止部材に向けて下方に突出した突出体を備え、前記傾斜溝の上端部は横向きに延びていることを特徴とする。
【００１４】
本発明においては、ローラが傾斜溝の上端部に位置する場合に、ローラを横方向に移動させることによって、突出体が封止部材に密着し、収容箱内に漏水した場合でも、突出体よりも外側に漏水しない。
【００１５】
本発明に係る飲料サーバは、前記ローラが前記傾斜溝に対して非係合になる方向に前記回転部を付勢する付勢部材を備え、前記操作部は前記回転部に接離可能に構成されており、前記操作部を前記回転部に当接させた場合、前記ローラが前記傾斜溝に係合する方向に前記回転部は回転することを特徴とする。
【００１６】
本発明においては、例えば、飲料を貯留した袋を収容箱に収容した後、操作部を回転部に当接させて、付勢部材の付勢力に抗して、回転部を回転させる。ローラは傾斜溝に係合し、飲料の重力によって収容箱は下降する。付勢部材によって、ローラが傾斜溝に非係合になる方向に回転部は付勢されている。換言すれば、付勢部材によって収容箱は上方に付勢されているので、収容箱の下降速度は、付勢部材がない場合に比べて低くなる。
【００１７】
本発明に係る飲料サーバは、前記回転部は、第１回転軸回りに回転する回転板と、該回転板の周縁部から外向きに突出した突出体とを備え、前記操作部は、前記第１回転軸に交差する第２回転軸回りに回転可能に構成されており、前記ローラが前記突出部の下側に位置し且つ前記操作部を一方向に回転させた場合、前記操作部は前記突出体を押すことを特徴とする。
【００１８】
本発明においては、ローラが突出部の下側に位置し且つ一方向に操作部を回転させた場合、操作部は突出体に接近し、突出体に当接する。そしてローラが傾斜溝に係合する方向に回転部は回転を開始する。操作部は、ローラが傾斜溝に係合を開始するトリガとして機能する。
【００１９】
本発明に係る飲料サーバは、前記突出部は板状又は筒状をなし、前記傾斜溝の下端は開口しており、前記ローラは前記突出部の下端部分及び傾斜溝に当接するように配されていることを特徴とする。
【００２０】
本発明においては、突出部の下端部分及び傾斜溝に接触しながらローラが移動し、収容部の上下動を実現する。
【００２１】
本発明に係る飲料サーバは、前記収容箱の上面が開口しており、前記開口を開閉するロック可能な蓋を備えることを特徴とする。
【００２２】
本発明においては、蓋を閉じてロックすることによって、ニードルが飲料の袋を貫通する時に、袋の上方への移動を蓋が妨げる。
【発明の効果】
【００２３】
本発明に係る飲料サーバにあっては、レバーの操作によって、ローラが傾斜溝に対して相対的に上側に移動した場合、収容箱は下方に移動し、ニードルは貫通孔を通って収容箱の内側に進出する。ローラは傾斜溝に沿って、突出部に対して相対的に斜めに移動する。そのため、ローラが突出部に対して相対的に直線的に移動する場合に比べて収容箱の下降速度を低下させて、袋が裂けて漏水することを防止できる。また飲料の重量を利用して、ニードルを袋に貫通させることができる。一方、ローラが傾斜溝に対して相対的に下側に移動した場合、収容箱は上方に移動し、ニードルは貫通孔を通って収容箱から退出し、収容箱の底面部よりも下側に位置する。そのため、ユーザがニードルに触れることが防止され、袋を収容箱に入れる際におけるユーザの安全性を確保することができる。
【図面の簡単な説明】
【００２４】
【図１】実施の形態１に係る飲料サーバを略示する斜視図である。
【図２】図１に示すＩＩ−ＩＩ線を切断線とした筐体の上部及び中央部を略示する部分断面図である。
【図３】貫通孔付近の構成を略示する部分拡大断面図である。
【図４】回転体を略示する斜視図である。
【図５】収容箱の底部を略示する部分拡大斜視図である。
【図６】ニードルの上端部が収容箱の底面部の下側に位置した状態での筐体の上部及び中央部を略示する部分断面図である。
【図７】構成の一部を変更した飲料サーバの上部を透視して略示する部分拡大斜視図である。
【図８】外蓋を開き、収容箱が上昇した実施の形態２に係る飲料サーバの上部を示す部分拡大斜視断面図である。
【図９】回転体付近の構成を略示する斜視図である。
【図１０】回転体付近の構成を略示する平面図である。
【図１１】収容箱が上昇した状態での操作レバーを略示する模式的部分正面図である。
【図１２】収容箱が下位置に配されている場合における飲料サーバの上部を略示する部分縦断面図である。
【図１３】収容箱が下位置に配されている場合における飲料サーバの上部を略示する部分斜視断面図である。
【発明を実施するための形態】
【００２５】
（実施の形態１）
以下本発明を実施の形態１に係る飲料サーバを示す図面に基づいて説明する。図１は、飲料サーバを略示する斜視図である。飲料サーバは上下に長い直方体状をなす筐体１を備える。該筐体１の上面部はロック可能な外蓋２を構成している。
【００２６】
筐体１の正面上部に横長のスロット３が形成されている。該スロット３の内側には、横方向に移動可能な操作レバー４が設けられている。スロット３の下側には、飲料の取り出し等を行うための操作ボタン５が設けられている。
【００２７】
筐体１正面における操作ボタン５の下側に凹部６が設けられている。凹部６の上面部には飲料を注出する注出口（図示略）が設けてある。凹部６の下面部は、カップ等を載置する載置台６ａを構成している。載置台６ａにカップを載置し、操作ボタン５を操作することによって、注出口からカップに飲料が注がれる。
【００２８】
図２は、図１に示すＩＩ−ＩＩ線を切断線とした筐体１の上部及び中央部を略示する部分断面図、図３は貫通孔７ａ付近の構成を略示する部分拡大断面図である。なお図２及び図３は、後述するニードル３０の上端部が後述する収容箱７の底面部より上側に位置した状態を示している。
【００２９】
筐体１の中央部及び上部を仕切る仕切り板１０が筐体１内に設けられている。仕切り板１０の下側には冷水タンク２０が設けられている。冷水タンク２０の内側には、冷水タンク２０を上下二室に分ける板状のセパレータ２１が設けられている。セパレータ２１には複数の貫通した孔（図示略）が設けられている。
【００３０】
セパレータ２１よりも下側において、冷水タンク２０の外周面に冷却コイル２２が設けられている。冷却コイル２２内には冷媒が流れており、冷水タンク２０の下側の室を冷却する。冷水タンク２０の底面部には水を取り出す取水管（図示略）が設けてある。取水管は前記注出口に連結されており、取水管を介して前記注出口に冷却された水が供給される。
【００３１】
冷水タンク２０の下方には温水タンク（図示略）が設けられている。温水タンク及び冷水タンク２０は給水管２５によって連結されており、給水管２５の上部は、冷水タンク２０の底面部及びセパレータ２１を貫通し、冷水タンク２０の上側の室に位置している。冷水タンク２０の上側の室に貯留されている水が給水管２５を介して温水タンクに供給される。なお温水タンクには水を加熱するためのヒータ（図示略）が設けられており、温水タンク内の温水が前記注出口に供給される。
【００３２】
仕切り板１０の上側には、飲料を貯留した袋を収容する収容箱７が設けられている。収容箱７の上面は開口しており、該開口を開閉するロック可能な内蓋８が収容箱７に設けられている。収容箱７の底面部中央部分は上側に突出しており、該中央部分に上下に貫通した貫通孔７ａが設けられている。なお仕切り板１０の上面には、後述するローラ４４が移動する円環状のレール１４が設けられている。
【００３３】
図３に示すように、仕切り板１０の中央部には、上方に突出した円筒部１１が貫通孔７ａに対して同軸的に設けられている。円筒部１１は前記レール１４の内側に位置する。円筒部１１の内側には、環状の支持板１２が円筒部１１に対して同軸的に設けられている。ニードル３０を挿入する挿入筒１３が支持板１２の孔の縁部から下方に突出している。支持板１２の上面には、環状の封止部材３５が支持されている。収容箱７の底面部には、貫通孔７ａの周囲から下方に突出した封止筒７ｃが設けられている。封止筒７ｃは円筒部１１の内側に位置し、封止部材３５に対向している。なお円筒部１１の外側には後述する回転体を支持する支持筒１５が嵌合している。
【００３４】
ニードル３０は上下に長い筒状をなし、その上端部は尖った状態で閉鎖されている。ニードル３０の上端部側面には複数の孔３１が設けられている。ニードル３０は冷水タンク２０の上面部を上下に貫通し、ニードル３０の上端部は挿入筒１３に挿入され、貫通孔７ａに臨む位置に配されている。ニードル３０の下端部は冷水タンク２０の上側の室内に位置する。
【００３５】
冷水タンク２０の上側の室内に水位センサ２３が設けられている。また冷水タンク２０と仕切り板１０との間に、ニードル３０を開閉する電磁弁２４が設けられている。電磁弁２４は、水位センサ２３からの信号に応じて、ニードル３０の中途部を開閉する。冷水タンク２０の水位が所定水位以下になった場合、電磁弁２４はニードル３０を開放し、冷水タンク２０の水位が所定水位を超過した場合、電磁弁２４はニードル３０を閉鎖する。
【００３６】
図４は回転体４０を略示する斜視図である。円筒部１１の軸回りに回転可能な回転体４０が円筒部１１の外側に嵌合している。回転体４０は円形の回転板４１を備える。回転板４１の中央部には円筒部１１に嵌合する嵌合孔４１ａが設けられている。嵌合孔４１ａの周囲には回転板４１から上方に突出した円環部４２が設けられている。
【００３７】
回転板４１の上面には円環部４２から放射状に延びた三つのローラ支持部４３、４３、４３が設けられている。三つのローラ支持部４３は、円環部４２の軸周りに略１２０°の位相間隔で配置されている。ローラ支持部４３の先端部分には、ローラ支持部４３の長手方向を回転軸方向としたローラ４４が設けられている。ローラ４４は、回転板４１の径方向において、外側に位置する外側車輪部４４ｂと、内側に位置する内側車輪部４４ａとを有する。外側車輪部４４ｂの直径は内側車輪部４４ａよりも大きい。二つのローラ支持部４３の間において、円環部４２から径方向外向きに突出した操作レバー４が回転板４１の上面に設けられている。
【００３８】
図３に示す如く、回転板４１の嵌合孔４１ａに円筒部１１が回転可能に嵌合しており、回転体４０は支持筒１５に支持されている。ローラ４４の内側車輪部４４ａはレール１４上に載置されている。操作レバー４の先端部はスロット３内に位置する（図１参照）。操作レバー４をスロット３内にて横方向に移動させることによって、内側車輪部４４ａはレール１４上を移動し、ローラ４４は円筒部１１を周回する。
【００３９】
図５は収容箱７の底部を略示する部分拡大斜視図である。収容箱７の底面部に、円筒形状をなし、下方に突出した突出筒７ｂが設けられている。突出筒７ｂは、径方向において、前記封止筒７ｃの外側に位置しており、また円環状をなす前記レール１４の外側に位置している（図２参照）。突出筒７ｂには、上下に延びた三つの傾斜溝７０、７０、７０が設けられている。封止筒７ｃの径方向において、傾斜溝７０は貫通している。傾斜溝７０には補強部７２が設けられており、突出筒７ｂにおける他の部分よりも厚く構成されている。三つの傾斜溝７０は、封止筒７ｃの軸周りに略１２０度の位相間隔で配置されている。傾斜溝７０の上端部は、傾斜溝７０の他の部分に交差するように横向きに延びた横溝部７１を構成している。傾斜溝７０の下端部は開口しており、突出筒７ｂの下端部に連なっている。
【００４０】
収容箱７は、突出筒７ｂがローラ４４の外側車輪部４４ｂに載置されるように、回転体４０の上側に設けられている。操作レバー４の移動によって、内側車輪部４４ａがレール１４上を移動した場合、外側車輪部４４ｂは突出筒７ｂの下端部及び傾斜溝７０に沿って移動する。
【００４１】
図６は、ニードル３０の上端部が収容箱７の底面部の下側に位置した状態での筐体１の上部及び中央部を略示する部分断面図である。なお図６は図５に対応している。
【００４２】
図６に示す如く、突出筒７ｂの下縁部が外側車輪部４４ｂの上に位置している場合、収容箱７はレール１４及びローラ４４よりも上側に位置し、ニードル３０の上端部は貫通孔７ａよりも下側、換言すれば収容箱７の底面部よりも下側に位置する。
【００４３】
ユーザはこの状態で内蓋８を開き、飲料を貯留した袋を収容箱７に入れることができる。ニードル３０の上端部が底面部の下側に位置しているので、袋を収容箱７に入れる際におけるユーザの安全性を確保することができる。袋を収容箱７に入れた後、ユーザは内蓋８をロックすることができる。
【００４４】
操作レバー４をスロット３の一端部に向けて移動させることによって、回転体４０が回転し、ローラ４４の外側車輪部４４ｂが傾斜溝７０に係合し、ローラ４４が相対的に傾斜溝７０を上側に移動し、収容箱７は下降する。このとき外側車輪部４４ｂは傾斜溝７０の上部に接触し、飲料の重量を支持しながら移動する。図２に示す如く、収容箱７が下降するに従って、ニードル３０の上端部は収容箱７に接近して、貫通孔７ａを通って収容箱７内に進出し、飲料を貯留した袋を貫通する。電磁弁２４がニードル３０を開放している場合、ニードル３０の上端部に設けた孔３１からニードル３０内に水が流入し、冷水タンク２０に供給される。
【００４５】
そして操作レバー４をスロット３の一端部終端まで移動させることによって、傾斜溝７０の横溝部７１に外側車輪部４４ｂが係合する。このとき図３に示す如く、封止筒７ｃが封止部材３５に当接して密着する。そのため収容箱７内にて漏水が発生したとしても、貫通孔７ａに侵入した水が封止筒７ｃから外側に漏れることを防止することができる。なお内蓋８をロックすることによって、ニードル３０が袋を貫通する時に、袋が上に移動することを防止することができる。
【００４６】
袋内の飲料が減少し、袋の交換が必要な場合、ユーザは袋の交換の為に収容箱７を上昇させることができる。
【００４７】
操作レバー４をスロット３の他端部側に向けて移動させることによって、回転体４０が回転し、ローラ４４が、傾斜溝７０に対して相対的に下側に移動し、収容箱７は上昇する。図６に示す如く、ローラ４４の外側車輪部４４ｂが、傾斜溝７０及び突出筒７ｂに対して、相対的に傾斜溝７０又は突出筒７ｂの下端部まで移動した場合、収容箱７は上昇し、ニードル３０の上端部は収容箱７の底面部よりも下側に位置する。
【００４８】
実施の形態に係る飲料サーバにあっては、ローラ４４は傾斜溝７０に沿って、突出筒７ｂに対して相対的に斜めに移動する。そのため、ローラ４４が突出筒７ｂに対して相対的に直線的に移動する場合に比べて、収容箱７の下降速度を低下させて、袋が裂けて収容箱７にて漏水することを防止できる。また飲料の重量を利用して、ニードル３０を袋に貫通させることができる。一方、ローラ４４が傾斜溝７０に対して相対的に下側に移動した場合、収容箱７は上方に移動し、ニードル３０は貫通孔７ａを通って収容箱７から退出し、収容箱７の底面部よりも下側に位置する。そのため、ユーザがニードル３０に触れることが防止され、袋を収容箱７に入れる際におけるユーザの安全性を確保することができる。
【００４９】
また操作レバー４を操作することによって回転体４０が回転し、突出筒７ｂの下端部又は傾斜溝７０に接触しながらローラ４４が移動し、収容部の上下動を実現することができる。
【００５０】
またローラ４４が傾斜溝７０の上端部に位置する場合に、ローラ４４を横方向に移動させることによって、突出筒７ｂが封止部材３５に密着し、収容箱７内に漏水した場合でも、突出筒７ｂよりも外側に漏水しない。
【００５１】
また内蓋８を閉じてロックすることによって、ニードル３０が飲料の袋を貫通する時に、袋の上方への移動を妨げることができるので、ニードル３０が袋に貫通し易くなる。
【００５２】
なおローラ４４及び傾斜溝７０夫々の数は三つに限定されず、四つ以上でもよい。また傾斜溝７０の下端部は閉鎖されていてもよい。この場合、傾斜溝７０の下端部に横溝部を設け、傾斜溝７０の下端部又は該横溝部にローラ４４が位置する場合に、ニードル３０が収容箱７の下側に位置するように飲料サーバを設計する。外蓋２をロック可能に構成し、内蓋８を削減してもよい。
【００５３】
なお突出筒７ｂは突出部の一例であり、これに限定されるものではない。突出筒７ｂに代えて、例えば、傾斜溝７０を有し、平面視円弧状をなす複数の突出板又は突出ブロックを収容箱７の底部に設け、該突出板又は突出ブロック及びその傾斜溝７０にローラ４４が係合するように構成してもよい。また傾斜溝７０は貫通している場合に限定されず、突出筒７ｂ、突出板又は突出ブロックの表面を窪ませて傾斜溝７０を形成してもよい。
【００５４】
上述した飲料サーバは、操作レバー４を回転体４０に直接連結させているが、ギヤ等の伝動部材を介して、操作レバー４と回転体４０とを連結させてもよい。
【００５５】
図７は構成の一部を変更した飲料サーバの上部を透視して略示する部分拡大斜視図である。図７に示すように、横方向を回転軸方向とした回転可能な操作レバー４ａが収容箱７の隣に設けられている。操作レバー４ａの下端部には、主動ギヤ４ｂが設けられている。
【００５６】
回転板４１の周面部には、従動ギヤ４５が設けられている。仕切り板１０上に、操作レバー４ａの回転軸方向に直交する横方向に移動可能なラックギヤ４６が設けられている。ラックギヤ４６は、上面及び側面にギヤ部を有し、上面のギヤ部と主動ギヤ４ｂが噛合し、側面のギヤ部と従動ギヤ４５が噛合している。操作レバー４ａはラックギヤ４６を介して、回転板４１に連結している。
【００５７】
操作レバー４ａを回転させることによって、ラックギヤ４６が移動し、回転板４１が回転し、収容箱７が上下する。なお回転板４１を回転させる機構は、上記機構に限定されない。電動モータを駆動源として、回転板４１を回転させてもよいし、ベルト又はソレノイドを使用して、回転板４１を回転させてもよい。電動モータが駆動源である場合、電動モータを駆動させる操作スイッチを設け、該操作スイッチを操作部として使用すればよい。
【００５８】
（実施の形態２）
以下本発明を実施の形態２に係る飲料サーバを示す図面に基づいて説明する。実施の形態２において、飲料サーバは外蓋２を備えるが、内蓋８を備えていない。外蓋２はロック可能に構成されている。
【００５９】
図８は外蓋２を開き、収容箱７が上昇した飲料サーバの上部を示す部分拡大斜視断面図、図９は回転体４０付近の構成を略示する斜視図、図１０は回転体４０付近の構成を略示する平面図である。
【００６０】
仕切り板１０は、中央部に円環部１０ａを備える。ニードル３０は円環部１０ａの軸心上に位置する。円環部１０ａの上面から三つの板状の突部１０ｂが突出している。突部１０ｂは平面視円弧状をなす。三つの突部１０ｂは、円環部１０ａの周方向に略等間隔を空けて、配置されている。以下、隣合う突部１０ｂ間の空間を凹部１０ｃとも称する。
【００６１】
図８に示すように、円環部１０ａの内側に、底面を上側にした偏平な有底円筒状をなす内筒１０ｄが設けられている。内筒１０ｄの下側は開口している。内筒１０ｄの上面縁部分には、二つの支持柱１０ｅが設けられている（後述する図１３参照）。内筒１０ｄの外周面と、円環部１０ａ及び突部１０ｂとは径方向に離間している。内筒１０ｄの上面部中央部分には上下に貫通した貫通孔（図示略）が設けられており、該貫通孔にニードル３０が挿入されている。
【００６２】
回転体４０は、内筒１０ｄの上側に設けられている。回転板４１の上面には、隣合うローラ支持部４３の間にて径方向に延びる複数のリブ４１ｃが形成されている。また回転板４１の径方向中央部には、下方に突出した中央円筒４１ｂが設けられている。中央円筒４１ｂは上下に貫通している。
【００６３】
中央円筒４１ｂにはニードル３０が挿入されており、中央円筒４１ｂとニードル３０との間には、封止部材３５が設けられている（図８参照）。収容箱７の底面部において、貫通孔７ａの周囲には、実施の形態１と同様に、下方に突出した封止筒７ｃが設けられている。なお図８〜図１３において、封止筒７ｃの記載を省略している。封止筒７ｃは、軸方向において、封止部材３５に対向する。回転板４１は、中央円筒４１ｂの軸心、すなわち、第１回転軸Ｐ回りに回転する。ニードル３０は第１回転軸Ｐ上に位置する。
【００６４】
回転板４１の周縁部分全体に、下方に突出した周面部４７が設けられている。周面部４７は、内筒１０ｄの外周面と、円環部１０ａ及び突部１０ｂとの間に配置されている。周面部４７から、板状の突出体４８及び二つの板状の突出体４９が径方向に突出している。突出体４８、４９は回転板４１に略平行である。突出体４８の突出幅は突出体４９よりも大きい。突出体４８、４９はいずれも凹部１０ｃを通って径方向外向きに突出している。
【００６５】
図９及び図１０に示すように、周面部４７の周方向において、突出体４８の一端部は他端部よりも突出幅が大きい。突出体４８の一端部の周面部４７側に、他端部側に窪んだ凹部４８ａが設けられている。突出体４８の一端部の外面には、径方向に突出しており、後述する当接部４ｄが当接する被当接部４８ｂが設けられている。周面部４７及び突出体４８の他端部に亘って、後述する第２脚部５２を挿入する挿入孔４７ａが設けられている。挿入孔４７ａは周面部４７において径方向に貫通し、突出体４８において軸方向に貫通している。
【００６６】
突出体４９は円弧状をなし、周方向一端部に、他端部側に窪んだ第１凹部４９ａが設けられており、周方向他端部に、一端部側に窪んだ第２凹部４９ｂが設けられている。三つのローラ４４は三つの突部１０ｂの上側にそれぞれ位置し、内側車輪部４４ａは突部１０ｂの略真上に位置する。内側車輪部４４ａは突部１０ｂ上を移動し、回転体４０は第１回転軸Ｐ回りに回転する。
【００６７】
図８に示すように、収容箱７が上側の所定位置（上位置）に配されている場合、ローラ４４は突出筒７ｂの下側に位置し、傾斜溝７０に係合していない。上位置において、ニードル３０の上端部は貫通孔７ａを通って収容箱７の内側に突出しておらず、収容箱７に収容された袋に突き刺さらない。この状態から、図１０の実線矢印に示すように、回転体４０が一方向（図１０における時計回り）に回転した場合、ローラ４４の外側車輪部４４ｂは傾斜溝７０に係合し、ローラ４４は相対的に傾斜溝７０を上側に移動し、収容箱７は下降する。反対に、図１０の破線矢印に示すように、回転体４０が他方向（図１０における反時計回り）に回転した場合、ローラ４４は傾斜溝７０を相対的に下側に移動し、収容箱７は上昇する。
【００６８】
中央円筒４１ｂの外側には付勢部材、例えばねじりばね５０が設けられている。ねじりばね５０は、コイル部５３と、該コイル部５３からコイル部５３の接線方向に突出した第１脚部５１及び第２脚部５２とを備える。第１脚部５１及び第２脚部５２は異なる方向に突出している。第１脚部５１は、二つの支持柱１０ｅの間に挿入されており、第２脚部５２は挿入孔４７ａを通って、周面部４７から径方向外向きに突出している。ねじりばね５０は、ローラ４４が傾斜溝７０に対して非係合になる方向、すなわち前記他方向（図１０における反時計回り）に、回転体４０を付勢している。
【００６９】
袋内の飲料が略無いか、又は飲料を貯留した袋が収容箱７に収容されていない場合、ねじりばね５０の付勢力によって、回転体４０は前記他方向に付勢される。外蓋２を開いた場合、ローラ４４は突出筒７ｂの下側に移動し、収容箱７は上昇して上位置に配される。
【００７０】
図１１は収容箱７が上昇した状態での操作レバー４ｃを略示する模式的部分正面図、図１２は収容箱７が下位置に配されている場合における飲料サーバの上部を略示する部分縦断面図、図１３は収容箱７が下位置に配されている場合における飲料サーバの上部を略示する部分斜視断面図である。
【００７１】
第２回転軸Ｑ回りに回転可能な操作レバー４ｃが筐体１の上部正面に設けられている。第２回転軸Ｑは第１回転軸Ｐに略直交する。操作レバー４ｃは筐体１の内側に位置し、筐体１と収容箱７の間に位置している。
【００７２】
操作レバー４ｃの下部は幅広の円盤状に形成されており、前記下部の軸心と第２回転軸Ｑとは略一致する。操作レバー４ｃの下部の下端には、下方に突出した円柱状の当接部４ｄが設けられている。当接部４ｄは、被当接部４８ｂよりも突出体４８の他端部側（突出幅の小さい側）に位置する。
【００７３】
ユーザは、袋内の飲料が無くなった場合、外蓋２を開き、収容箱７から袋を取り出し、飲料で満たされた新たな袋を収容箱７に収容する。このとき、図８に示すように、突出筒７ｂの下側にローラ４４は位置しており、ローラ４４は傾斜溝７０に係合していない。そのため、新たな袋を収容箱７に収容しただけでは、ローラ４４は傾斜溝７０に係合せず、収容箱７は下降しない。
【００７４】
収容箱７を下降させる為に、図１１の実線矢印で示すように、ユーザは、当接部４ｄが被当接部４８ｂに接近する一方向に操作レバー４ｃを回転させる。当接部４ｄは被当接部４８ｂを押し、回転体４０は、図１０の実線矢印に示すように、時計回りに回転し、ローラ４４は傾斜溝７０に係合する。
【００７５】
傾斜溝７０のローラ４４が係合した後は、収容箱７に収容された飲料の重量によって、回転体４０は、ねじりばね５０の付勢力に抗して、更に時計回りに回転し、ローラ４４は傾斜溝７０を相対的に上側に移動し、収容箱７は下降する。そして、図１２及び図１３に示すように、収容箱７は、前記上位置よりも下側の所定位置（下位置）に配される。下位置において、ニードル３０の上端部は貫通孔７ａに挿入されて、収容箱７の内側に突出しており、収容箱７に収容された袋に突き刺さる。
【００７６】
収容箱７に収容した袋の飲料が略無くなった場合、ねじりばね５０の付勢力によって、回転体４０は、図１０の反時計回りに付勢される。この状態で外蓋２を開いた場合、回転体４０は前記反時計回りに回転し、被当接部４８ｂは当接部４ｄを押し、図１１の破線矢印で示すように、操作レバー４ｃは、前記一方向の反対方向に回転し、元の位置に戻る。
【００７７】
実施の形態２に係る飲料サーバにあっては、例えば、飲料を貯留した袋を収容箱７に収容した後、操作レバー４ｃの当接部４ｄを回転体４０の被当接部４８ｂに当接させて、ねじりばね５０の付勢力に抗して、回転体４０を回転させる。ローラ４４は傾斜溝７０に係合し、飲料の重力によって収容箱７は下降する。ねじりばね５０によって、ローラ４４が傾斜溝７０に非係合になる方向に回転体４０は付勢されている。換言すれば、ねじりばね５０によって収容箱７は上方に付勢されているので、収容箱７の下降速度は、ねじりばね５０がない場合に比べて低くなる。そのため、前記袋を収容箱７に収容する際の安全性を向上させることができ、また収容箱７の破損及び大きな音の発生を防止することができる。
【００７８】
またローラ４４が突出筒７ｂの下側に位置し且つ一方向に操作レバー４ｃを回転させた場合、操作レバー４ｃの当接部４ｄは突出体４８の被当接部４８ｂに接近し、被当接部４８ｂに当接する。そしてローラ４４が傾斜溝７０に係合する方向に回転体４０は回転を開始する。すなわち、操作レバー４ｃは、ローラ４４が傾斜溝７０に係合を開始するトリガとして機能する。操作レバー４ｃを操作しない限り、収容箱７は下降しないので、不意に収容箱７が下降することを防止することができる。一方、袋内の飲料が無くなった場合には、外蓋２を開いた場合に、ねじりばね５０の付勢力によって、収容箱７は自動的に上昇するので、使用済みの袋を容易に取り出すことができる。
【００７９】
実施の形態２に係る構成の内、実施の形態１と同様な構成については同じ符号を付し、その詳細な説明を省略する。
【００８０】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００８１】
１  筐体
４、４ａ、４ｃ  操作レバー（操作部）
４ｄ  当接部
７  収容箱
７ａ  貫通孔
７ｂ  突出筒（突出部）
７ｃ  封止筒（突出体）
８  内蓋（蓋）
３０  ニードル
３５  封止部材
４０  回転体（回転部）
４１  回転板
４２  円環部
４３  ローラ支持部
４４  ローラ
４７  周面部
４８  突出体
４８ｂ  被当接部
５０  ねじりばね（付勢部材）
７０  傾斜溝
７１  横溝部
７２  補強体
【図１】
0006628679.tif 000002
【図２】
0006628679.tif 000003
【図３】
0006628679.tif 000004
【図４】
0006628679.tif 000005
【図５】
0006628679.tif 000006
【図６】
0006628679.tif 000007
【図７】
0006628679.tif 000008
【図８】
0006628679.tif 000009
【図９】
0006628679.tif 000010
【図１０】
0006628679.tif 000011
【図１１】
0006628679.tif 000012
【図１２】
0006628679.tif 000013
【図１３】
0006628679.tif 000014